(57)【要約】【課題】一つの通信媒体による通信が不能になっても光源を制御可能とする。【解決手段】照明制御装置１は、第１指示信号の入力を受け付ける第１受信ポート１０１と、第２指示信号の入力を受け付ける第２受信ポート１０２と、プロセッサ１００とを備える。プロセッサ１００は、第１受信ポート１０１が受け付ける第１指示信号及び第２受信ポート１０２が受け付ける第２指示信号のいずれかを選択する。さらに、プロセッサ１００は、選択した第１指示信号の指示内容及び選択した第２指示信号の指示内容のそれぞれに応じた制御信号を生成して点灯回路２１に出力する。【選択図】        図１
2020205157.tif 000002
【特許請求の範囲】
【請求項１】
照明用の光源を点灯させる点灯回路を制御して前記光源の光量を調整する照明制御装置であって、
第１指示信号の入力を受け付ける第１信号入力部と、
第２指示信号の入力を受け付ける第２信号入力部と、
前記第１信号入力部が受け付ける前記第１指示信号及び前記第２信号入力部が受け付ける前記第２指示信号のいずれかを選択し、かつ、選択した前記第１指示信号の指示内容及び選択した前記第２指示信号の指示内容のそれぞれに応じた制御信号を生成して前記点灯回路に出力する信号処理回路と、
を備える、
照明制御装置。
【請求項２】
前記信号処理回路は、前記第１指示信号に対して前記第２指示信号を優先的に選択する、
請求項１記載の照明制御装置。
【請求項３】
前記第１信号入力部は、第１伝送媒体で伝送される第１伝送信号を前記第１指示信号に変換する第１信号変換部が電気的に接続可能であり、
前記第２信号入力部は、第２伝送媒体で伝送される第２伝送信号を前記第２指示信号に変換する第２信号変換部が電気的に接続可能であり、
前記信号処理回路は、前記第１信号入力部に対する前記第１信号変換部の接続の有無を判定し、かつ、前記第２信号入力部に対する前記第２信号変換部の接続の有無を判定し、前記第２信号入力部に対する前記第２信号変換部の接続有りと判定している場合に、前記第１指示信号に対して前記第２指示信号を優先的に選択する、
請求項２記載の照明制御装置。
【請求項４】
前記第１伝送媒体は電波であり、前記第２伝送媒体は一つ以上の電線である、
請求項３記載の照明制御装置。
【請求項５】
前記信号処理回路は、前記第１伝送信号の信号強度が下限値以下であるときは常に前記第２指示信号を選択する、
請求項３又は４記載の照明制御装置。
【請求項６】
前記第１指示信号を前記信号処理回路に入力する第１の信号入力状態と、前記第２指示信号を前記信号処理回路に入力する第２の信号入力状態を択一的に切り替える切替部を備える、
請求項１記載の照明制御装置。
【請求項７】
前記切替部は、前記第２信号入力部が前記第２指示信号の入力を受け付けている間は前記第２の信号入力状態に切り替える、
請求項６記載の照明制御装置。
【請求項８】
前記信号処理回路は、コンピュータシステムを構成するプロセッサであり、
前記第１信号入力部及び前記第２信号入力部は、それぞれ前記コンピュータシステムを構成する複数のポートである、
請求項１〜７のいずれか１項に記載の照明制御装置。
【請求項９】
請求項１〜８のいずれかの照明制御装置と、
前記照明制御装置に制御されて照明用の光源を点灯させる点灯回路と、
を有する、
電源装置。
【請求項１０】
請求項９の電源装置と、
前記電源装置と電気的に接続される前記光源と、
を備える、
照明器具。
【請求項１１】
コンピュータシステムに、
第１信号入力部が受け付ける第１指示信号及び第２信号入力部が受け付ける第２指示信号のいずれかを選択させるステップと、
選択した前記第１指示信号の指示内容及び選択した前記第２指示信号の指示内容のそれぞれに応じた制御信号を生成するステップと、
生成した前記制御信号を点灯回路に出力させるステップと、
を実行させるための、
コンピュータ・プログラム。
【発明の詳細な説明】
【技術分野】
【０００１】
本開示は、照明制御装置、電源装置、照明器具及びコンピュータ・プログラムに関する。より詳細には、本開示は、照明用の光源を制御する照明制御装置、前記照明制御装置を有する電源装置、前記電源装置と前記光源を備える照明器具、及び前記照明制御装置が有するコンピュータシステムで実行されるコンピュータ・プログラムに関する。
【背景技術】
【０００２】
照明制御装置の従来例として、特許文献１記載の調光ユニットを例示する。特許文献１記載の調光ユニット（以下、従来例という。）は、無線メッシュネットワークを通じて通信を行う無線通信制御部と、無線通信制御部が受信した調光指令に基づいてＰＷＭ情報を抽出する信号解析部とを備える。従来例は、ＰＷＭ情報に基づいてＰＷＭ指示信号を生成する光源制御部と、ＰＷＭ指示信号に応じてＬＥＤライトを調光するためのＰＷＭ信号を生成するＰＷＭ信号生成回路とを更に備える。
【０００３】
従来例は、無線信号によってＬＥＤライトを遠隔から調光することができる。
【先行技術文献】
【特許文献】
【０００４】
【特許文献１】特開２０１７−６８９０２号公報
【発明の概要】
【発明が解決しようとする課題】
【０００５】
しかしながら、従来例において、妨害波などの影響によって無線通信が不能となった場合にＬＥＤライト（照明用の光源）を遠隔制御することができなくなってしまう。
【０００６】
本開示の目的は、一つの通信媒体による通信が不能になっても光源を制御可能な照明制御装置、電源装置、照明器具及びコンピュータ・プログラムを提供することである。
【課題を解決するための手段】
【０００７】
本開示の一態様に係る照明制御装置は、照明用の光源を点灯させる点灯回路を制御して前記光源の光量を調整する。前記照明制御装置は、第１指示信号の入力を受け付ける第１信号入力部と、第２指示信号の入力を受け付ける第２信号入力部と、信号処理回路とを備える。前記信号処理回路は、前記第１信号入力部が受け付ける前記第１指示信号及び前記第２信号入力部が受け付ける前記第２指示信号のいずれかを選択する。前記信号処理回路は、選択した前記第１指示信号の指示内容及び選択した前記第２指示信号の指示内容のそれぞれに応じた制御信号を生成して前記点灯回路に出力する。
【０００８】
本開示の一態様に係る電源装置は、前記照明制御装置と、前記照明制御装置に制御されて照明用の光源を点灯させる点灯回路とを有する。
【０００９】
本開示の一態様に係る照明器具は、前記電源装置と、前記電源装置と電気的に接続される前記光源とを備える。
【００１０】
本開示の一態様に係るコンピュータ・プログラムは、コンピュータシステムに、第１信号入力部が受け付ける第１指示信号及び第２信号入力部が受け付ける第２指示信号のいずれかを選択させるステップを実行させる。前記コンピュータ・プログラムは、前記コンピュータシステムに、選択した前記第１指示信号の指示内容及び選択した前記第２指示信号の指示内容のそれぞれに応じた制御信号を生成するステップを実行させる。前記コンピュータ・プログラムは、前記コンピュータシステムに、生成した前記制御信号を点灯回路に出力させるステップを実行させる。
【発明の効果】
【００１１】
本開示の照明制御装置、電源装置、照明器具及びコンピュータ・プログラムは、一つの通信媒体による通信が不能になっても光源を制御することができるという効果がある。
【図面の簡単な説明】
【００１２】
【図１】図１は、本開示の実施形態に係る照明制御装置、電源装置及び照明器具の回路ブロック図である。
【図２】図２は、同上の照明制御装置の動作を説明するためのフローチャートである。
【図３】図３は、同上の照明制御装置の別の動作を説明するためのフローチャートである。
【図４】図４は、本開示の変形例１に係る照明制御装置の回路ブロック図である。
【図５】図５は、本開示の変形例２に係る照明制御装置の回路ブロック図である。
【図６】図６は、本開示の変形例３に係る照明制御装置の回路ブロック図である。
【図７】図７Ａは本開示の実施形態１に係る照明器具の斜視図である。図７Ｂは本開示の実施形態２に係る照明器具の斜視図である。図７Ｃは本開示の実施形態３に係る照明器具の斜視図である。
【発明を実施するための形態】
【００１３】
以下、本開示の実施形態に係る照明制御装置、電源装置及び照明器具について、図面を参照して詳細に説明する。ただし、下記の実施形態において説明する各図は模式的な図であり、各構成要素の大きさ及び厚さのそれぞれの比が必ずしも実際の寸法比を反映しているとは限らない。なお、以下の実施形態で説明する構成は本開示の一例にすぎない。本開示は、以下の実施形態に限定されず、本開示の効果を奏することができれば、設計等に応じて種々の変更が可能である。
【００１４】
本開示の実施形態に係る照明器具６（以下、照明器具６と略す。）は、図１に示すように、本開示の実施形態に係る電源装置２、光源３、無線通信回路４、及び有線通信回路５を備えている。また、本開示の実施形態に係る電源装置２（以下、電源装置２と略す。）は、交直変換回路２０、点灯回路２１及び本開示の実施形態に係る照明制御装置１（以下、照明制御装置１と略す。）を備えている。
【００１５】
交直変換回路２０は、電力系統９から供給される交流電圧（例えば、実効値１００Ｖ、電源周波数５０Ｈｚ又は６０Ｈｚの交流電圧）を直流電圧に変換する。交直変換回路２０は、例えば、力率改善機能を有する絶縁型のフライバックコンバータで構成されることが好ましい。ただし、交直変換回路２０はフライバックコンバータに限定されず、昇圧チョッパ回路からなる力率改善回路と降圧チョッパ回路の組合せなどであっても構わない。
【００１６】
点灯回路２１は、例えば、降圧チョッパ回路と、降圧チョッパ回路を駆動する駆動回路とを有することが好ましい。降圧チョッパ回路は、交直変換回路２０から入力する入力電圧を降圧して光源３に印加する。駆動回路は、降圧チョッパ回路の出力電流を目標値に一致させて光源３に定電流を供給するように降圧チョッパ回路のスイッチング素子を駆動する。ただし、点灯回路２１は、降圧チョッパ回路に代えて、昇圧チョッパ回路、昇降圧チョッパ回路、あるいはトランジスタを用いた定電流回路などを有していても構わない。
【００１７】
光源３は、例えば、一つ以上のＬＥＤ（Light Emitting Diode）を電気的に直列又は直並列に接続したＬＥＤモジュールである。ただし、光源３は、有機エレクトロルミネッセンス素子又は半導体レーザダイオードなどのＬＥＤ以外の固体光源であっても構わない。
【００１８】
無線通信回路４は、無線通信モジュール４０、及び無線通信用のアンテナ４１を有することが好ましい。無線通信モジュール４０は、例えば、９２０ＭＨｚ帯の電波を通信媒体として無線通信を行う集積回路である。無線通信モジュール４０は、アンテナ４１で受信する無線信号（第１伝送信号）に含まれるデータ（受信データ）を、例えば、ＵＡＲＴ（Universal Asynchronous Receiver/Transmitter）などのシリアル通信の信号（第１指示信号）に変換する。無線通信モジュール４０は、変換した第１指示信号を送信ポート４００から照明制御装置１のマイクロコントローラ１０に送信する。また、無線通信モジュール４０は、マイクロコントローラ１０から送信されるシリアル通信の信号を受信ポート４０１を通して受信する。無線通信モジュール４０は、受信ポート４０１を通して受信する信号から送信データを生成し、生成した送信データを含む無線信号をアンテナ４１から送信する。
【００１９】
有線通信回路５は、一対の電線を含む信号ケーブルＬｓを介して、外部のコントローラなどから制御信号（第２伝送信号）を受信する。有線通信回路５は、受信した制御信号を、ＵＡＲＴなどのシリアル通信の信号（第２指示信号）に変換する。有線通信回路５は、変換した第２指示信号を送信ポート５００から照明制御装置１のマイクロコントローラ１０に送信する。また、有線通信回路５は、マイクロコントローラ１０から送信されるシリアル通信の信号を受信ポート５０１を通して受信する。有線通信回路５は、受信ポート５０１を通して受信する信号から送信データを生成し、生成した送信データを含む制御信号を信号ケーブルＬｓを介して送信する。なお、制御信号は、例えば、ＤＡＬＩ（Digital Addressable Lighting Interface）又はＤＭＸ（Digital Multiplex）５１２Ａなどの規格に準拠したデジタル信号である。ただし、制御信号は、ＤＡＬＩ及びＤＭＸ５１２以外の通信規格に準拠したデジタル信号又はアナログ信号であってもよい。
【００２０】
照明制御装置１は、例えば、コンピュータシステムを有している。コンピュータシステムは、ハードウェアとしてのプロセッサ及びメモリを主構成とする。コンピュータシステムのメモリに記録されたコンピュータ・プログラムをプロセッサが実行することによって、本開示における照明制御装置１としての機能が実現される。コンピュータ・プログラムは、コンピュータシステムのメモリにあらかじめ記録されてもよい。また、コンピュータ・プログラムは、電気通信回線を通じて提供されてもよい。あるいは、コンピュータ・プログラムは、コンピュータシステムで読み取り可能なメモリカード、光学ディスク、ハードディスクドライブ等の非一時的記録媒体に記録されて提供されてもよい。コンピュータシステムのプロセッサは、半導体集積回路（Integrated Circuit）又は大規模集積回路（Large-Scale Integration）を含む１ないし複数の電子回路で構成される。ここでいうＩＣ又はＬＳＩ等の集積回路は、集積の度合いによって呼び方が異なっており、システムＬＳＩ、ＶＬＳＩ（Very Large Scale Integration）、又はＵＬＳＩ（Ultra Large Scale Integration）と呼ばれる集積回路を含む。さらに、ＬＳＩの製造後にプログラムされる、ＦＰＧＡ（Field-Programmable Gate Array）、又はＬＳＩ内部の接合関係の再構成若しくはＬＳＩ内部の回路区画の再構成が可能な論理デバイスについても、プロセッサとして採用することができる。複数の電子回路は、１つのチップに集約されていてもよいし、複数のチップに分散して設けられていてもよい。複数のチップは、１つの装置に集約されていてもよいし、複数の装置に分散して設けられていてもよい。ここでいうコンピュータシステムは、１以上のプロセッサ及び１以上のメモリを有するマイクロコントローラを含む。したがって、マイクロコントローラについても、半導体集積回路又は大規模集積回路を含む１ないし複数の電子回路で構成される。なお、本開示における照明制御装置１は、汎用のマイクロコントローラ（例えば、ルネサスエレクトロニクス社製のRL78/I1Aなど）を有している。
【００２１】
照明制御装置１（マイクロコントローラ）は、第１指示信号の入力を受け付ける第１信号入力部（第１受信ポート１０１）と、第２指示信号の入力を受け付ける第２信号入力部（第２受信ポート１０２）と、信号処理回路（プロセッサ１００）とを備える。プロセッサ１００は、第１指示信号及び第２指示信号のいずれかを選択し、選択した第１指示信号の指示内容及び選択した第２指示信号の指示内容のそれぞれに応じた制御信号を生成する。プロセッサ１００は、生成した制御信号を第１出力ポート１０７から点灯回路２１（駆動回路）に出力する。制御信号は、例えば、ＰＷＭ（Pulse Width Modulation）信号であり、デューティ比によって光源３に供給する定電流の目標値、すなわち、光源３の光量を指示する。
【００２２】
照明制御装置１は、第３受信ポート１０３、第４受信ポート１０４、第１送信ポート１０５及び第２送信ポート１０６を更に備える。
【００２３】
第１送信ポート１０５は、無線通信モジュール４０の受信ポート４０１と電気的に接続される。また、第２送信ポート１０６は、有線通信回路５の受信ポート５０１と電気的に接続される。第３受信ポート１０３は、第１受信ポート１０１とともに無線通信モジュール４０の送信ポート４００と電気的に接続される。また、第１送信ポート１０５は、無線通信モジュール４０の受信ポート４０１と電気的に接続される。
【００２４】
ここで、無線通信モジュール４０は、送信ポート４００の電圧をハイレベルからローレベルに低下させることによって２値のデータ（第１指示信号）を送信する。したがって、照明制御装置１のプロセッサ１００は、無線通信モジュール４０から第１指示信号を受信していないときに第３受信ポート１０３の入力電圧がハイレベルであれば、無線通信回路４が電気的に接続されていると判断する。一方、プロセッサ１００は、第３受信ポート１０３の入力電圧が常にローレベルであれば、無線通信回路４が電気的に接続されていないと判断する。
【００２５】
また、有線通信回路５は、送信ポート５００の電圧をハイレベルからローレベルに低下させることによって２値のデータ（第２指示信号）を送信する。したがって、照明制御装置１のプロセッサ１００は、有線通信回路５から第２指示信号を受信していないときに第４受信ポート１０４の入力電圧がハイレベルであれば、有線通信回路５が電気的に接続されていると判断する。一方、プロセッサ１００は、第４受信ポート１０４の入力電圧が常にローレベルであれば、有線通信回路５が電気的に接続されていないと判断する。
【００２６】
マイクロコントローラ１０のプロセッサ１００は、電力系統９から交流電圧の供給が開始されて起動すると、図２のフローチャートで示すコンピュータ・プログラムを実行する。
【００２７】
まず、プロセッサ１００は、第３受信ポート１０３の入力がハイレベルか否かを判断する（図２のステップ１）。無線通信回路４がマイクロコントローラ１０と電気的に接続されていれば、第３受信ポート１０３の入力がハイレベルとなり、無線通信回路４がマイクロコントローラ１０と電気的に接続されていなければ、第３受信ポート１０３の入力がローレベルとなる。つまり、プロセッサ１００は、第３受信ポート１０３の入力がハイレベルか否かに基づいて、無線通信回路４がマイクロコントローラ１０と電気的に接続されているか否かを判断している。
【００２８】
無線通信回路４がマイクロコントローラ１０と電気的に接続されている場合、プロセッサ１００は、第４受信ポート１０４の入力がハイレベルか否かを判断する（図２のステップ２）。有線通信回路５がマイクロコントローラ１０と電気的に接続されていれば、第４受信ポート１０４の入力がハイレベルとなり、有線通信回路５がマイクロコントローラ１０と電気的に接続されていなければ、第４受信ポート１０４の入力がローレベルとなる。つまり、プロセッサ１００は、第４受信ポート１０４の入力がハイレベルか否かに基づいて、有線通信回路５がマイクロコントローラ１０と電気的に接続されているか否かを判断している。
【００２９】
有線通信回路５がマイクロコントローラ１０と電気的に接続されていない場合、プロセッサ１００は、第１受信ポート１０１に入力される第１指示信号に応じた制御信号を生成する（図２のステップ３）。そして、プロセッサ１００は、生成した制御信号を第１出力ポート１０７から点灯回路２１の駆動回路に送信する。つまり、照明制御装置１は、無線通信回路４から受け取る第１指示信号に応じて点灯回路２１を制御する。プロセッサ１００は、制御信号を点灯回路２１の駆動回路に送信した後、ステップ１に戻る。
【００３０】
一方、有線通信回路５がマイクロコントローラ１０と電気的に接続されている場合、プロセッサ１００は、第２受信ポート１０２に入力される第２指示信号に応じた制御信号を生成する（図２のステップ５）。そして、プロセッサ１００は、生成した制御信号を第１出力ポート１０７から点灯回路２１の駆動回路に送信する。つまり、照明制御装置１は、有線通信回路５から受け取る第２指示信号に応じて点灯回路２１を制御する。プロセッサ１００は、制御信号を点灯回路２１の駆動回路に送信した後、ステップ１に戻る。
【００３１】
また、無線通信回路４がマイクロコントローラ１０と電気的に接続されていない場合（図２のステップ１でｎｏの場合）、プロセッサ１００は、第４受信ポート１０４の入力がハイレベルか否か（有線通信回路５が接続されているか否か）を判断する（図２のステップ４）。有線通信回路５が接続されている場合、プロセッサ１００は、第２受信ポート１０２に入力される第２指示信号に応じた制御信号を生成する（図２のステップ５）。そして、プロセッサ１００は、生成した制御信号を第１出力ポート１０７から点灯回路２１の駆動回路に送信する。プロセッサ１００は、制御信号を点灯回路２１の駆動回路に送信した後、ステップ１に戻る。なお、プロセッサ１００は、有線通信回路５が接続されていないと判断すると、ステップ１に戻る。
【００３２】
プロセッサ１００が上述のような処理を行うことにより、照明制御装置１は、無線通信回路４と有線通信回路５の双方が接続されているとき、無線通信回路４の第１指示信号に対して有線通信回路５の第２指示信号を優先して選択する。また、照明制御装置１は、有線通信回路５が接続されていないとき、無条件で無線通信回路４の第１指示信号を選択する。一方、照明制御装置１は、無線通信回路４及び有線通信回路５のいずれも接続されていないとき、無線通信回路４及び有線通信回路５のいずれかが接続されるまで待機することが好ましい。ただし、照明制御装置１は、無線通信回路４及び有線通信回路５の接続を待機している間、点灯回路２１を制御して光源３を所定の明るさ（例えば、定格の光束）で点灯させても構わない。なお、プロセッサ１００は、新たに有線通信回路５が接続されたと判断した場合、有線通信回路５の第２指示信号に対応する制御信号を点灯回路２１の駆動回路に出力する際、点灯回路２１の出力電流を徐々に増加（フェードイン）させることが好ましい。
【００３３】
ここで、マイクロコントローラ１０のプロセッサ１００は、電力系統９から交流電圧が供給されて起動すると、図３のフローチャートで示すコンピュータ・プログラムを実行しても構わない。
【００３４】
まず、プロセッサ１００は、無線通信回路４に優先権があるか否かを判定する（図３のステップ１）。ただし、起動直後のプロセッサ１００は、無線通信回路４及び有線通信回路５のいずれにも優先権を与えていない。プロセッサ１００は、第３受信ポート１０３の入力がハイレベルか否かを判断し（図３のステップ２）、ハイレベルであれば、無線通信回路４に優先権を与える（図３のステップ３）。つづいて、プロセッサ１００は、第４受信ポート１０４の入力がハイレベルか否かを判断する（図３のステップ４）。無線通信回路４のみが照明制御装置１に接続されている場合、第４受信ポート１０４の入力はローレベルとなる。したがって、プロセッサ１００は、第４受信ポート１０４の入力がハイレベルでないと判断すると、無線通信回路４から受信する第１指示信号に応じて制御信号を生成する（図３のステップ５）。プロセッサ１００は、制御信号を点灯回路２１の駆動回路に送信した後、ステップ１に戻る。
【００３５】
プロセッサ１００は、無線通信回路４に優先権を設定しているので、ステップ２及びステップ３を飛ばしてステップ４を実行する。プロセッサ１００は、有線通信回路５が接続されていなければ、第４受信ポート１０４の入力がハイレベルでないと判断し、ステップ５を実行した後にステップ１に戻る。
【００３６】
一方、新たに有線通信回路５が照明制御装置１に接続されると、プロセッサ１００は、ステップ４において第４受信ポート１０４の入力がハイレベルと判断し、有線通信回路５に優先権を与える（図３のステップ６）。さらに、プロセッサ１００は、有線通信回路５から受信する第２指示信号に応じて制御信号を生成する（図３のステップ７）。プロセッサ１００は、制御信号を点灯回路２１の駆動回路に送信した後、ステップ１に戻る。
【００３７】
上述のように図３のフローチャートで示す処理（コンピュータ・プログラム）では、プロセッサ１００は、無線通信回路４と有線通信回路５のうちで後から照明制御装置１と接続される方に優先権を与える。そして、プロセッサ１００は、無線通信回路４と有線通信回路５のうちで優先権を与えられている方から受信する指示信号に応じた制御信号を生成する。
【００３８】
照明制御装置１及び電源装置２は、原則として無線通信回路４と電気的に接続され、無線通信回路４にて無線信号が正常に受信できない状況において、有線通信回路５と電気的に接続される。あるいは、既に信号ケーブルＬｓが配線されている場所に照明器具６が設置される場合も、照明制御装置１及び電源装置２が有線通信回路５と電気的に接続される。
【００３９】
上述のように照明制御装置１は、第１指示信号の入力を受け付ける第１受信ポート１０１と、第２指示信号の入力を受け付ける第２受信ポート１０２と、プロセッサ１００とを備える。プロセッサ１００は、第１受信ポート１０１が受け付ける第１指示信号及び第２受信ポート１０２が受け付ける第２指示信号のいずれかを選択する。さらに、プロセッサ１００は、選択した第１指示信号の指示内容及び選択した第２指示信号の指示内容のそれぞれに応じた制御信号を生成して点灯回路２１に出力する。
【００４０】
したがって、照明制御装置１は、一つの通信媒体（例えば、電波）による通信（例えば、無線通信）が不能になっても、（有線通信によって）光源３を制御（調光制御）することができる。
【００４１】
次に、実施形態に係る照明制御装置１及び電源装置２の幾つかの変形例について、図４〜図６を参照して説明する。ただし、各変形例の照明制御装置１及び電源装置２において、実施形態に係る照明制御装置１及び電源装置２と共通の構成については、同一の符号を付して適宜説明を省略する。
【００４２】
変形例１の照明制御装置１は、図４に示すように、切替部１１を備える。切替部１１は、第１切替回路１１１と、第２切替回路１１２を有する。第１切替回路１１１は、第１切替接点１１１Ａ、第２切替接点１１１Ｂ及び共通接点１１１Ｃを一つずつ有している。また、第２切替回路１１２は、第１切替接点１１２Ａ、第２切替接点１１２Ｂ及び共通接点１１２Ｃを一つずつ有している。
【００４３】
第１切替回路１１１の第１切替接点１１１Ａは、無線通信回路４の送信ポート４００と電気的に接続される。また、第１切替回路１１１の第２切替接点１１１Ｂは、有線通信回路５の送信ポート５００と電気的に接続される。第１切替回路１１１の共通接点１１１Ｃは、マイクロコントローラ１０の第１受信ポート１０１と電気的に接続される。第１切替回路１１１は、共通接点１１１Ｃを第１切替接点１１１Ａに電気的に接続する状態（第１の信号入力状態）と、共通接点１１１Ｃを第２切替接点１１１Ｂに電気的に接続する状態（第２の信号入力状態）を切り替える。
【００４４】
第２切替回路１１２の第１切替接点１１２Ａは、無線通信回路４の受信ポート４０１と電気的に接続される。また、第２切替回路１１２の第２切替接点１１２Ｂは、有線通信回路５の受信ポート５０１と電気的に接続される。第２切替回路１１２の共通接点１１２Ｃは、マイクロコントローラ１０の第１送信ポート１０５と電気的に接続される。第２切替回路１１２は、共通接点１１２Ｃを第１切替接点１１２Ａに電気的に接続する状態と、共通接点１１２Ｃを第２切替接点１１２Ｂに電気的に接続する状態を切り替える。なお、切替部１１（第１切替回路１１１及び第２切替回路１１２）は、例えば、ディップスイッチなどの機械式のスイッチで構成されることが好ましい。
【００４５】
しかして、変形例１の照明制御装置１では、切替部１１により、無線通信回路４と有線通信回路５のいずれか一方がマイクロコントローラ１０と選択的に接続される。したがって、変形例１の照明制御装置１は、無線通信回路４が無線信号を正常に受信できないような場合、切替部１１によって有線通信回路５をマイクロコントローラ１０と接続することができる。その結果、変形例１の照明制御装置１は、実施形態に係る照明制御装置１と同様に、一つの通信媒体（電波）による通信（無線通信）が不能になっても、別の通信媒体（信号ケーブルＬｓ）による通信によって光源３を調光制御することができる。
【００４６】
変形例２の照明制御装置１は、図５に示すように、変形例１の照明制御装置１の切替部１１と異なる構成の切替部１２を備えている。
【００４７】
切替部１２は、スイッチング素子Ｑ１、ダイオードＤ１及びコンデンサＣ１を有する。スイッチング素子Ｑ１は、例えば、エンハンスメント形のｎチャネルＭＯＳＦＥＴ（Metal-Oxide-Semiconductor Field-Effect Transistor）である。ただし、スイッチング素子Ｑ１は、バイポーラトランジスタなどのＭＯＳＦＥＴ以外の半導体スイッチング素子であっても構わない。
【００４８】
スイッチング素子Ｑ１のドレインがマイクロコントローラ１０の第１受信ポート１０１及び無線通信モジュール４０の送信ポート４００と電気的に接続されている。また、スイッチング素子Ｑ１のソースがコンデンサＣ１を介してスイッチング素子Ｑ１のゲートと電気的に接続されている。スイッチング素子Ｑ１のゲートは、ダイオードＤ１のカソードと電気的に接続されている。ダイオードＤ１のアノードがマイクロコントローラ１０の第２受信ポート１０２及び有線通信回路５の送信ポート５００と電気的に接続されている。
【００４９】
切替部１２は、有線通信回路５と電気的に接続されている場合、有線通信回路５の送信ポート５００から出力されるハイレベルの電圧によってスイッチング素子Ｑ１をオンする。なお、有線通信回路５からマイクロコントローラ１０へ第２指示信号が送信される際に送信ポート５００の電圧がローレベルに低下しても、コンデンサＣ１の充電電圧によってスイッチング素子Ｑ１のオン状態が維持される。
【００５０】
しかして、切替部１２のスイッチング素子Ｑ１がオンすることにより、マイクロコントローラ１０の第１受信ポート１０１及び無線通信モジュール４０の送信ポート４００がそれぞれローレベルに固定される。その結果、有線通信回路５から送信される第２指示信号はマイクロコントローラ１０で受信可能であるが、無線通信モジュール４０から送信される第１指示信号はマイクロコントローラ１０で受信できない。その結果、変形例２の照明制御装置１は、実施形態に係る照明制御装置１と同様に、一つの通信媒体（電波）による通信（無線通信）が不能になっても、別の通信媒体（信号ケーブルＬｓ）による通信によって光源３を調光制御することができる。
【００５１】
ところで、無線通信回路４が有する無線通信モジュール４０は、通常、アンテナ４１で受信する無線信号の信号強度（RSSI：Receive Signal Strength Indication）を計測し、その計測値（以下、RSSI値と呼ぶ。）を出力ポート４０２から出力することができる。
【００５２】
そこで、変形例３の照明制御装置１は、図６に示すように、無線通信モジュール４０の出力ポート４０２から出力されるRSSI値を、マイクロコントローラ１０の入力ポート１０８に取り込むことが好ましい。プロセッサ１００は、入力ポート１０８から取り込むRSSI値を所定のしきい値（下限値）と比較し、RSSI値が下限値を超えていれば、第１受信ポート１０１で受信する第１指示信号を選択する。一方、プロセッサ１００は、RSSI値が下限値以下であれば、第２受信ポート１０２で受信する第２指示信号を選択する。
【００５３】
つまり、変形例３の照明制御装置１は、有線通信回路５から受信する第２指示信号に対して、無線通信回路４から受信する第１指示信号を優先し、無線信号の信号強度（RSSI値）が下限値以下の場合に、有線通信回路５から受信する第２指示信号を選択する。その結果、変形例３の照明制御装置１は、実施形態に係る照明制御装置１と同様に、一つの通信媒体（電波）による通信（無線通信）が不能になっても、別の通信媒体（信号ケーブルＬｓ）による通信によって光源３を調光制御することができる。
【００５４】
次に、本開示の実施形態に係る照明器具の外観構造について、図７Ａ〜図７Ｃを参照して説明する。
【００５５】
実施形態１に係る照明器具６Ａは、図７Ａに示すように、天井埋込型のダウンライトである。照明器具６Ａは、電源装置２を収容する器具本体６０Ａと、光源３から放射される光を下方に向けて反射する反射板７１とを備えている。器具本体６０Ａの上部には複数の放熱フィン７２が設けられている。器具本体６０Ａからは電源ケーブル７３が導出されている。電源ケーブル７３は、器具本体６０Ａ内に収容されている電源装置２を電力系統９と電気的に接続する。
【００５６】
実施形態２に係る照明器具６Ｂは、配線ダクト８に着脱可能に取り付けられるスポットライトである。照明器具６Ｂは、図７Ｂに示すように、器具本体６０Ｂと、反射板７４と、コネクタ部７５と、アーム部７６とを備える。器具本体６０Ｂは、電源装置２と光源３を収容している。コネクタ部７５は、配線ダクト８に装着される。アーム部７６は、コネクタ部７５と器具本体６０Ｂとを結合する。器具本体６０Ｂに収容された電源装置２とコネクタ部７５とは、電源ケーブル７７を介して電気的に接続されている。
【００５７】
実施形態３に係る照明器具６Ｃは、器具本体６０Ｃと、ボックス７８と、連結部８０と、電源ケーブル８１とを備えている。器具本体６０Ｃは、光源３を収容する。連結部８０は器具本体６０Ｃとボックス７８を連結する。電源ケーブル８１は、器具本体６０Ｃに収容された光源３と、ボックス７８に収容された電源装置２を電気的に接続する。なお、ボックス７８の上面には、配線ダクト８と電気的かつ機械的に接続されるコネクタ部７９が設けられる。
【００５８】
上述のように第１の態様に係る照明制御装置（１）は、照明用の光源（３）を点灯させる点灯回路（２１）を制御して光源（３）の光量を調整する。第１の態様に係る照明制御装置（１）は、第１指示信号の入力を受け付ける第１信号入力部（第１受信ポート１０１）と、第２指示信号の入力を受け付ける第２信号入力部（第２受信ポート１０２）と、信号処理回路（プロセッサ１００）とを備える。信号処理回路は、第１信号入力部が受け付ける第１指示信号及び第２信号入力部が受け付ける第２指示信号のいずれかを選択する。信号処理回路は、選択した第１指示信号の指示内容及び選択した第２指示信号の指示内容のそれぞれに応じた制御信号を生成して点灯回路（２１）に出力する。
【００５９】
第１の態様に係る照明制御装置（１）は、一つの通信媒体による通信が不能になっても、光源（３）を制御することができる。
【００６０】
第２の態様に係る照明制御装置（１）は、第１の態様との組合せにより実現され得る。第２の態様に係る照明制御装置（１）において、信号処理回路は、第１指示信号に対して第２指示信号を優先的に選択することが好ましい。
【００６１】
第２の態様に係る照明制御装置（１）は、信号処理回路が第２指示信号を優先的に選択することにより、第１指示信号が入力されない状況になっても光源（３）を制御することができる。
【００６２】
第３の態様に係る照明制御装置（１）は、第２の態様との組合せにより実現され得る。第３の態様に係る照明制御装置（１）において、第１信号入力部は、第１伝送媒体で伝送される第１伝送信号を第１指示信号に変換する第１信号変換部（無線通信回路４）が電気的に接続可能であることが好ましい。第２信号入力部は、第２伝送媒体で伝送される第２伝送信号を第２指示信号に変換する第２信号変換部（有線通信回路５）が電気的に接続可能であることが好ましい。信号処理回路は、第１信号入力部に対する第１信号変換部の接続の有無を判定することが好ましい。信号処理回路は、第２信号入力部に対する第２信号変換部の接続の有無を判定することが好ましい。さらに、信号処理回路は、第２信号入力部に対する第２信号変換部の接続有りと判定している場合に、第１指示信号に対して第２指示信号を優先的に選択することが好ましい。
【００６３】
第３の態様に係る照明制御装置（１）は、第２信号変換部が接続されている場合に第２指示信号を優先的に選択するので、第１信号変換部が第１伝送信号を受信不能となっても、第２指示信号に応じて光源（３）を制御することができる。
【００６４】
第４の態様に係る照明制御装置（１）は、第３の態様との組合せにより実現され得る。第４の態様に係る照明制御装置（１）において、第１伝送媒体は電波であり、第２伝送媒体は一つ以上の電線であることが好ましい。
【００６５】
第４の態様に係る照明制御装置（１）は、電波による無線通信が不能になっても、電線による有線通信によって光源（３）を制御することができる。
【００６６】
第５の態様に係る照明制御装置（１）は、第３又は第４の態様との組合せにより実現され得る。第５の態様に係る照明制御装置（１）において、信号処理回路は、第１伝送信号の信号強度が下限値以下であるときは常に第２指示信号を選択することが好ましい。
【００６７】
第５の態様に係る照明制御装置（１）は、第１伝送信号による通信が不能となった場合でも第２伝送信号による通信によって光源（３）を制御して信頼性の向上を図ることができる。
【００６８】
第６の態様に係る照明制御装置（１）は、第１の態様との組合せにより実現され得る。第６の態様に係る照明制御装置（１）は、切替部（１１；１２）を備えることが好ましい。切替部（１１；１２）は、第１指示信号を信号処理回路に入力する第１の信号入力状態と、前記第２指示信号を前記信号処理回路に入力する第２の信号入力状態を択一的に切り替える。
【００６９】
第６の態様に係る照明制御装置（１）は、第１指示信号と第２指示信号のうちの一つの指示信号のみが信号処理回路に入力されるため、信号処理回路の誤動作を防ぐことができる。
【００７０】
第７の態様に係る照明制御装置（１）は、第６の態様との組合せにより実現され得る。第７の態様に係る照明制御装置（１）において、切替部（１２）は、第２信号入力部が第２指示信号の入力を受け付けている間は第２の信号入力状態に切り替えることが好ましい。
【００７１】
第７の態様に係る照明制御装置（１）は、第１指示信号と第２指示信号の衝突を回避して信号処理回路の誤動作を防ぐことができる。
【００７２】
第８の態様に係る照明制御装置（１）は、第１〜第７のいずれかの態様との組合せにより実現され得る。第８の態様に係る照明制御装置（１）において、信号処理回路は、コンピュータシステムを構成するプロセッサであることが好ましい。第１信号入力部及び第２信号入力部は、それぞれコンピュータシステムを構成する複数のポートであることが好ましい。
【００７３】
第８の態様に係る照明制御装置（１）は、コンピュータシステムを用いることで部品点数の削減と小型化及び省電力化を図ることができる。
【００７４】
第９の態様に係る電源装置（２）は、第１〜第８のいずれかの態様に係る照明制御装置（１）と、照明制御装置（１）に制御されて照明用の光源を点灯させる点灯回路とを有する。
【００７５】
第９の態様に係る電源装置（２）は、一つの通信媒体による通信が不能になっても、光源（３）を制御することができる。
【００７６】
第１０の態様に係る照明器具（６；６Ａ；６Ｂ；６Ｃ）は、第９の態様に係る電源装置（２）と、電源装置（２）と電気的に接続される光源（３）とを備える。
【００７７】
第１０の態様に係る照明器具（６；６Ａ；６Ｂ；６Ｃ）は、一つの通信媒体による通信が不能になっても、光源（３）を制御することができる。
【００７８】
第１１の態様に係るコンピュータ・プログラムは、コンピュータシステムに、第１信号入力部が受け付ける第１指示信号及び第２信号入力部が受け付ける第２指示信号のいずれかを選択させるステップを実行させる。第１１の態様に係るコンピュータ・プログラムは、コンピュータシステムに、選択した前記第１指示信号の指示内容及び選択した前記第２指示信号の指示内容のそれぞれに応じた制御信号を生成するステップを実行させる。第１１の態様に係るコンピュータ・プログラムは、コンピュータシステムに、生成した前記制御信号を点灯回路に出力させるステップを実行させる。
【００７９】
第１１の態様に係るコンピュータ・プログラムは、一つの通信媒体による通信が不能になっても、光源（３）を制御することができる。
【符号の説明】
【００８０】
１  照明制御装置
２  電源装置
３  光源
４  無線通信回路
５  有線通信回路
６  照明器具
６Ａ、６Ｂ、６Ｃ  照明器具
１１  切替部
１２  切替部
２１  点灯回路
１００  プロセッサ（信号処理回路）
１０１  第１受信ポート（第１信号入力部）
１０２  第２受信ポート（第２信号入力部）
【図１】
2020205157.tif 000003
【図２】
2020205157.tif 000004
【図３】
2020205157.tif 000005
【図４】
2020205157.tif 000006
【図５】
2020205157.tif 000007
【図６】
2020205157.tif 000008
【図７】
2020205157.tif 000009